(57)【特許請求の範囲】
【請求項１】
交流電源電圧を整流する整流器と、
前記整流器の出力電圧をスイッチング素子のスイッチング動作により充電し平滑する平滑コンデンサを備えた部分平滑回路からなる補助電源回路と、
前記整流器あるいは前記平滑コンデンサからの出力電圧を前記スイッチング素子のスイッチング動作により高周波に変換して負荷に電力を供給するインバータ回路と、
前記整流器の直流出力端にインピーダンス素子を介して前記インバータ回路の高周波出力の一部を帰還し前記整流器に前記交流電源の略全域に亘って高周波的に電流を流す入力力率改善回路と、
を備えた電源装置において、
前記負荷が軽負荷時に前記平滑コンデンサを充電するループ内のスイッチング素子のオンデュティを定格負荷時よりも小さくなるよう動作させる制御手段を具備して成ることを特徴とする電源装置。
【請求項２】
交流電源電圧を整流する整流器と、
前記整流器の出力電圧をスイッチング素子のスイッチング動作により充電し平滑する平滑コンデンサを備えた部分平滑回路からなる補助電源回路と、
前記整流器あるいは前記平滑コンデンサからの出力電圧を前記スイッチング素子のスイッチング動作により高周波に変換して負荷に電力を供給するインバータ回路と、
前記整流器の直流出力端にインピーダンス素子を介して前記インバータ回路の高周波出力の一部を帰還し前記整流器に前記交流電源の略全域に亘って高周波的に電流を流す入力力率改善回路と、
を備えた電源装置において、
前記負荷が放電灯であり、予熱時は前記平滑コンデンサを充電するループ内のスイッチング素子のオンデュティを定格点灯時よりも小さく、
始動時は前記平滑コンデンサを充電するループ内のスイッチング素子のオンデュティを定格点灯時よりも大きくなるよう動作させる制御手段を具備して成ることを特徴とする電源装置。
【請求項３】
前記入力力率改善回路を、前記整流器の直流出力端に接続される第１のダイオードと第１のコンデンサの並列回路から構成し、
前記インバータ回路を、第１、第２のスイッチング素子の直列回路との直列回路と、前記整流器の出力側の一端と前記第１のダイオードとの接続点と前記第１、第２のスイッチング素子の中点との間に接続される直流阻止用コンデンサとリーケージトランスの１次巻線との直列回路と、前記リーケージトランスの２次巻線間に接続される放電灯と、前記放電灯の非電源側に接続される共振用コンデンサとで構成し、
前記補助電源回路を、前記第１、第２のスイッチング素子の両端間に接続される降圧チョッパ用チョークと平滑コンデンサと平滑コンデンサを放電する方向に接続される放電用ダイオードとの直列回路と、前記平滑コンデンサと放電用ダイオードの直列回路の中点と前記第１、第２のスイッチング素子の中点との間に前記平滑コンデンサを充電する方向に接続される充電用ダイオードと、前記第１、第２のスイッチング素子の両端間に接続される小容量のコンデンサとで構成したことを特徴とする請求項１又は２記載の電源装置。
【請求項４】
前記入力力率改善回路を、前記整流器の直流出力端に接続される第１のダイオードと第１のコンデンサの並列回路から構成し、
前記インバータ回路を、第１、第２のスイッチング素子の直列回路との直列回路と、前記整流器の出力側の一端と前記第１のダイオードとの接続点と前記第１、第２のスイッチング素子の中点との間に、前記第１、第２のスイッチング素子の中点側にリーケージトランスの１次巻線がつながるように接続された直流阻止用コンデンサと前記リーケージトランスの１次巻線との直列回路と、前記リーケージトランスの２次巻線間に接続される放電灯と、前記放電灯の非電源側に接続される共振用コンデンサとで構成し、
前記補助電源回路を、前記第１、第２のスイッチング素子の両端間に接続される平滑コンデンサと平滑コンデンサを放電する方向に接続される放電用ダイオードとの直列回路と、前記平滑コンデンサと放電用ダイオードの直列回路の中点と前記直流阻止用コンデンサと前記リーケージトランスの１次巻線との中点との間に前記平滑コンデンサを充電する方向に接続される充電用ダイオードと、前記第１、第２のスイッチング素子の両端間に接続される小容量のコンデンサとで構成したことを特徴とする請求項１又は２記載の電源装置。
【請求項５】
前記第１、第２のスイッチング素子の直列回路は第１のスイッチング素子が前記整流器の直流出力端の正極側に接続され、
前記平滑コンデンサが前記整流器の直流出力端の正極側に接続され、かつ前記平滑コンデンサを介して前記充電用ダイオードに電流が流れるように接続され、前記負荷が放電灯であり、前記制御手段において、予熱時は第２のスイッチング素子のオンデュティを定格点灯時よりも小さく、始動時は第２のスイッチング素子のオンデュティを定格点灯時よりも大きくなるよう動作することを特徴とする請求項３又４記載の電源装置。
【請求項６】
前記第１、第２のスイッチング素子の直列回路は第１のスイッチング素子が前記整流器の直流出力端の正極側に接続され、
前記平滑コンデンサが前記整流器の直流出力端の負極側に接続され、かつ前記充電用ダイオードを介して前記平滑コンデンサに電流が流れるように接続され、前記負荷が放電灯であり、前記制御手段において、予熱時は第１のスイッチング素子のオンデュティを定格点灯時よりも小さく、始動時は第１のスイッチング素子のオンデュティを定格点灯時よりも大きくなるよう動作することを特徴とする請求項３又は４記載の電源装置。
【請求項７】
前記制御手段が自励式であり、スイッチング素子のオンデュティを調節可能である第１の予熱始動回路を具備したことを特徴とする請求項２乃至６の何れかに記載の電源装置。
【請求項８】
前記第１、第２のスイッチング素子の直列回路は第１のスイッチング素子が前記整流器の直流出力端の正極側に接続され、
前記平滑コンデンサが前記整流器の直流出力端の正極側に接続され、かつ前記平滑コンデンサを介して前記充電用ダイオードに電流が流れるように接続され、
前記第１の予熱始動回路が第２のスイッチング素子側に接続され、
前記負荷が放電灯であり、軽負荷時に前記第２のスイッチング素子のオンデュティを定格点灯時よりも小さくなるよう前記第１の予熱始動回路を動作させることを特徴とする請求項７記載の電源装置。
【請求項９】
前記第１、第２のスイッチング素子の直列回路は第１のスイッチング素子が前記整流器の直流出力端の正極側に接続され、
前記平滑コンデンサが前記整流器の直流出力端の負極側に接続され、かつ前記充電用ダイオードを介して前記平滑コンデンサに電流が流れるように接続され、
前記第１の予熱始動回路が第１のスイッチング素子側に接続され、
前記負荷が放電灯であり、軽負荷時に前記第１のスイッチング素子のオンデュティを定格点灯時よりも小さくなるよう前記第１の予熱始動回路を動作させることを特徴とする請求項７記載の電源装置。
【請求項１０】
前記第１、第２のスイッチング素子の直列回路は第１のスイッチング素子が前記整流器の直流出力端の正極側に接続され、
前記平滑コンデンサが前記整流器の直流出力端の正極側に接続され、かつ前記平滑コンデンサを介して前記充電用ダイオードに電流が流れるように接続され、前記第１の予熱始動回路が第１のスイッチング素子側に、第２の予熱始動回路が第２のスイッチング素子側に接続され、
前記負荷が放電灯であり、予熱時に前記第２のスイッチング素子のオンデュティが定格点灯時よりも小さくなるよう前記第２の予熱始動回路を動作し、始動時に前記第１のスイッチング素子のオンデュティが定格点灯時よりも小さくなるよう前記第１の予熱始動回路を動作させることを特徴とする請求項７記載の電源装置。
【請求項１１】
前記第１、第２のスイッチング素子の直列回路は第１のスイッチング素子が前  記整流器の直流出力端の正極側に接続され、
前記平滑コンデンサが前記整流器の直流出力端の負極側に接続され、かつ前記充電用ダイオードを介して前記平滑コンデンサに電流が流れるように接続され、前記第１の予熱始動回路が第１のスイッチング素子側に、第２の予熱始動回路が第２のスイッチング素子側に接続され、
前記負荷が放電灯であり、予熱時に前記第１のスイッチング素子のオンデュティが定格点灯時よりも小さくなるよう前記第１の予熱始動回路を動作し、始動時に前記第２のスイッチング素子のオンデュティが定格点灯時よりも小さくなるよう前記第２の予熱始動回路を動作させることを特徴とする請求項７記載の電源装置。
【発明の詳細な説明】
【０００１】
【発明の属する技術分野】
本発明は、電源装置に関するものであり、更にくわしくは入力力率が高く、入力電流波形歪改善機能を有する電源装置に関するものである。
【０００２】
【従来の技術】
この種の電源装置としては、図１４に示す回路構成の電源装置がある（特開平９−１２１５５０号参照）。
【０００３】
この従来例（以下第１の従来例と言う）は、スイッチング素子Ｑ１，Ｑ２とが交互にオンオフを繰り返すことにより負荷である放電灯Ｌａ１を高周波点灯させるハーフブリッジ型のインバータ回路ＩＮＶを備えたものであり、交流電源ＥにコンデンサＣ２１、チョークＬ２１，Ｌ２２からなるフィルター回路Ｆを介してダイオードブリッジからなる整流器ＤＢを接続し、この整流器ＤＢの直流出力端にインバータ回路ＩＮＶを接続している。インバータ回路ＩＮＶは整流器ＤＢの対の直流出力端間にコンデンサＣ１を接続するとともに、ＦＥＴからなるスイッチング素子Ｑ１，Ｑ２の直列回路を、ダイオードＤ１と、ダイオードＤ２及びコンデンサＣ２からなる並列回路（入力力率改善回路）との直列回路を介して接続し、ダイオードＤ１とダイオードＤ２との接続点とスイッチング素子Ｑ１，Ｑ２の接続点との間に共振用チョークＬ１と蛍光灯のような予熱型放電灯Ｌａ１及び共振用コンデンサＣ２１の並列回路とからなる共振回路を直流阻止用のコンデンサＣ４を介して接続して構成される。
【０００４】
スイッチング素子Ｑ１には、降圧チョッパを構成する補助電源回路ＰＯＷの降圧チョッパ用チョークＬ２、平滑コンデンサＣ３の直列回路をダイオードＤ３を介して並列接続してある。またスイッチング素子Ｑ２には、ダイオードＤ３を介してダイオードＤ４を逆並列接続してあり、このダイオードＤ４が平滑コンデンサＣ３の放電用ダイオードを構成する。そして降圧チョッパ用チョークＬ２、コンデンサＣ３、ダイオードＤ４の直列回路には小容量のコンデンサＣ５を並列接続してある。
【０００５】
この回路ではスイッチング素子Ｑ１が制御回路１から出力される駆動信号ｏｕｔ１によりオン駆動されると、コンデンサＣ５の放電電流がコンデンサＣ５→スイッチング素子Ｑ１→共振用チョークＬ１→放電灯Ｌａ１及び共振用コンデンサＣ２１の並列回路→コンデンサＣ４→コンデンサＣ２→コンデンサＣ５の経路で流れ、コンデンサＣ２を充電する。
【０００６】
このコンデンサＣ２の両端電圧と、コンデンサＣ５の両端電圧Ｖｃ５と整流器ＤＢの出力電圧ＶＢとの差とが略等しくなると、続いて入力電流Ｉ１が交流電源Ｅ→フィルタ回路Ｆ→整流器ＤＢ→スイッチング素子Ｑ１→共振用チョークＬ１→放電灯Ｌａ１及びコンデンサ２１の並列回路→コンデンサＣ４→ダイオードＤ１→整流器ＤＢ→フィルター回路Ｆ→交流電源Ｅの経路で流れる。
【０００７】
そしてスイッチング素子Ｑ２が制御回路１から出力される駆動信号ｏｕｔ２によりオン駆動されると、交流電源ＥからコンデンサＣ５への充電電流が、交流電源Ｅ→フィルタ回路Ｆ→整流器ＤＢ→コンデンサＣ５→スイッチング素子Ｑ２の寄生ダイオード→共振用チョークＬ１→放電灯Ｌａ１及び共振用コンデンサＣ２１の並列回路→コンデンサＣ４→ダイオードＤ１→整流器ＤＢ→フィルター回路Ｆ→交流電源Ｅの経路で流れる。
【０００８】
やがて共振電流が反転すると、共振用チョークＬ１→スイッチング素子Ｑ２→コンデンサＣ２→コンデンサＣ４→放電灯Ｌａ１及び共振用コンデンサＣ２１の並列回路→共振用チョークＬ１の経路で電流が流れ、この時コンデンサＣ２の電荷を放出する。
【０００９】
続いて、スイッチング素子Ｑ１がオン駆動されると、回線電流が共振用チョークＬ１→スイッチング素子Ｑ１の寄生ダイオード→コンデンサＣ５→ダイオードＤ２→コンデンサＣ４→放電灯Ｌａ１及び共振用コンデンサＣ２１の並列回路→共振用チョークＬ１の経路で流れ、やがて共振電流が反転して、上述のようにコンデンサＣ５の放電電流がコンデンサＣ５→スイッチング素子Ｑ１→共振用チョークＬ１→放電灯Ｌａ１及び共振用コンデンサＣ２１の並列回路→コンデンサＣ４→コンデンサＣ２→コンデンサＣ５の経路で電流が流れる。
【００１０】
このような動作を繰り返すことにより、放電灯Ｌａ１に高周波の電力を供給して安定点灯させるのである。
【００１１】
ここで平滑コンデンサＣ３の両端電圧Ｖｃ３がコンデンサＣ５の両端電圧Ｖｃ５より低いとき、つまり交流電源Ｅ電圧のピーク付近において、スイッチング素子Ｑ２がオンの時にコンデンサＣ５→降圧チョッパ用チョークＬ２→平滑コンデンサＣ３→ダイオードＤ３→スイッチング素子Ｑ２→コンデンサＣ５の経路によりコンデンサＣ５から放電電流が流れ、この時のコンデンサＣ５の放電電流によりスイッチング素子Ｑ２を介して平滑コンデンサＣ３が充電される。続いてスイッチング素子Ｑ１がオン駆動されると、回生電流が降圧チョッパ用チョークＬ２→平滑コンデンサＣ３→ダイオードＤ３→スイッチング素子Ｑ１の寄生ダイオード→降圧チョッパ用チョークＬ２の経路で流れる。
【００１２】
また平滑コンデンサＣ３の両端電圧Ｖｃ３がコンデンサＣ５の両端電圧Ｖｃ５よりも高いとき、つまり交流電源Ｅ電圧のゼロクロス付近において、平滑コンデンサＣ３→降圧チョッパ用チョークＬ２→コンデンサＣ５→ダイオードＤ４→平滑コンデンサＣ３の経路で平滑コンデンサＣ３が放電する。従って平滑コンデンサＣ３の電荷は一度コンデンサＣ５に蓄えられ、コンデンサＣ５から負荷回路へ供給されることになる。
【００１３】
ところで、図１４の従来例では、軽負荷時にスイッチング素子Ｑ１よりもスイッチング素子Ｑ２のオン時間が長くなるようなアンバランス制御と、交流電源Ｅの電圧と追従した谷埋め電圧（脈流波形の山部間の電圧）を検出して交流電源Ｅ電圧の山部と谷部でスイッチング素子Ｑ１，Ｑ２の動作周波数が山部のほうが高くなるような周波数変調制御とを組合わせることにより、放電灯Ｌａ１への予熱電流を確保し、平滑コンデンサＣ３の両端電圧Ｖｃ３の昇圧を抑制するようになっている。
【００１４】
しかし検出回路を設け周波数変調制御を行っているため制御回路１の構成が複雑で高価になるという問題があった。
【００１５】
また、周波数変調なしで予熱時にスイッチング素子Ｑ１よりもスイッチング素子Ｑ２のオン時間が長くなるようなアンバランス制御した場合、放電灯Ｌａ１の両端電圧（出力電圧）の波形は図２（ｇ）に示すように交流電源Ｅの電圧のゼロクロス付近でピークをもつ波形となり、そのため低周波リップルが大きく実効値電圧に対してピーク値電圧が高くなるため、予熱電流を確保した場合に放電灯Ｌａ１が点灯してしまう場合がある。すなわちコールドスタートによりフィラメントの断線、黒化しやすくなることから、ランプ寿命が短くなるという問題もあった。
【００１６】
別の従来例（以下第２の従来例と言う）として、図１５に示す回路構成の装置がある（特開平９−２９８０９６号参照）。
【００１７】
この第２の従来例は、図示するように交流電源Ｅをフィルター回路Ｆを介して整流器ＤＢに接続し、整流器ＤＢの対の直流出力端間にはコンデンサＣ２とダイオードＤ４の並列回路を介してインバータ回路ＩＮＶのスイッチング素子Ｑ１，Ｑ２の直列回路を接続し、スイッチング素子Ｑ１とＱ２の接続点と整流器ＤＢとダイオードＤ２の接続点との間に放電灯Ｌａ１及び共振用コンデンサＣ２１の並列回路と共振用チョークＬ１との直列回路を直流阻止用コンデンサＣ４を介して接続してある。そしてスイッチング素子Ｑ１，Ｑ２の直列回路に平滑コンデンサＣ３を並列接続してある。
【００１８】
この従来例回路の動作について簡単に説明する。まず脈流電圧がゼロ近傍、つまり谷部に於ける動作を説明する。インバータ回路ＩＮＶのスイッチング素子Ｑ２がオンの時、平滑コンデンサＣ３を電源として、共振電流が平滑コンデンサＣ３→コンデンサＣ２→放電灯Ｌａ及び共振用コンデンサＣ２１の並列回路→共振用チョークＬ１→コンデンサＣ４→スイッチング素子Ｑ２→平滑コンデンサＣ３の経路で流れ、コンデンサＣ２が充電されると共に、共振用チョークＬ１にエネルギーが蓄積される。コンデンサＣ２の充電電圧Ｖｃ２が平滑コンデンサＣ３の両端電圧Ｖｃ３と略等しくなると、コンデンサＣ２に流れていた共振電流は停止し、整流器ＤＢから電流が流れ込みインバータ回路ＩＮＶはインバータ動作を継続しようとする。スイッチング素子Ｑ２がオフ、スイッチング素子Ｑ１がオンした瞬間は共振用チョークＬ１に蓄積されたエネルギーによる回生電流がスイッチング素子Ｑ１の寄生ダイオードを介して流れる。この時流れる電流が整流器ＤＢからの平滑コンデンサＣ３への充電電流となって平滑コンデンサＣ３を充電する。やがてインタクタＬ1に蓄境されたエネルギーがなくなると、共振動作が反転して、コンデンサＣ４を電荷とするインバータ動作により、コンデンサＣ４→共振用チョークＬ１→放電灯Ｌａ１及び共振用コンデンサＣ２１の並列回路→コンデンサＣ２→スイッチング素子Ｑ１→コンデンサＣ４の経路で共振電流が流れ、コンデンサＣ２に充電されていた電荷を放電する。そしてその電荷がなくなると共振電流はダイオードＤ２を介して流れるようになる。
【００１９】
以上は谷部での説明であるが、ゼロ近傍でなくとも、平滑コンデンサＣ３の両端電圧Ｖｃ３が入力電圧とコンデンサＣ２の電圧Ｖｃ２と略等しくなると、上述の様に平滑コンデンサＣ３を電源として動作するインバータ動作はなくなるが、整流器ＤＢから電流が流れ込みインバータ動作を継続しようとする。この様にしてインバータ回路ＩＮＶは共振動作を繰り返し、またコンデンサＣ２は充放電を繰り返す。入力電流が流れこむ期間は、スイッチング素子Ｑ２がオンして平滑コンデンサＣ３がＶｃ２＋入力電圧に充電された後、整流器ＤＢから電流が流れ込む期間である。尚制御回路１はスイッチ素子Ｑ１，Ｑ２のスイッチングを制御する。
【００２０】
ところでこの第２の従来例では予熱時に所定の予熱電流を流し、このとき放電灯Ｌａが点灯しないように第１の振動系（共振用コンデンサＣ２１，共振用チョークＬ１）及び第２の振動系（共振用コンデンサＣ２１、共振用チョークＬ１、コンデンサＣ２）から放電灯Ｌａ１に供給される出力の差を減少させる（図２(ｇ)に示す）ことによりコールドスタートを防ぎ、始動時は所定の始動電圧が印加できるように第１及び第２の振動系から放電灯Ｌａ１に供給される出力の差を増大させる（図２（ｈ）に示す）ことにより始動を容易にさせるというものである。
【００２１】
この第２の従来例の制御回路１は第１の従来例と同様に周波数制御、デュティ制御、及び検出回路を用いた周波数変調制御、デュティ変調制御などにより第１、第２の振動系による出力の差を調節している。言い換えれば出力電圧の低周波リップルを任意に調節しているものと思われる。
【００２２】
さて上述した第１の従来例と、第２の従来例の回路の主な違いは、第１の従来例が降圧チョッパからなる補助電源回路ＰＯＷにより平滑電圧が谷埋め電圧であるのに対し、第２の従来例は完全平滑であるところが大きく異なる点である。入力力率改善動作を比較すると、第１の従来例は降圧チョッパ動作と入力力率改善回路の動作との組合せにより入力力率改善のための入力電流を取り込んでいるのに対し、第２の従来例は入力力率改善回路の動作のみにより入力電流を取り込んでいる。従って第２の従来例は第１の従来例に比べ、入力力率改善回路の動作により取り込まれる入力電流が大きいことがわかる。また、入力力率改善回路の動作により力率改善のために取り込まれる入力電流の大きさは、インバータ動作による共振電流の一部として入力電流が流れることから共振電流の大きさに比例していることが知られており、第２の従来例は第１の従来例に比べ入力歪改善するためには共振電流を大きく流す必要がある。よって、第２の従来例はスイッチング損失の増加、回路素子の温度上昇などの問題があった。このため、第１の従来例のように、インバータ回路ＩＮＶの高周波出力の一部を帰還し整流器ＤＢに交流電源Ｅの略全域に亘って高周波的に電流を流し入力歪を改善する、いわゆるチャージポンプ方式と呼ばれる入力歪改善回路と降圧チョッパとを複合させた放電灯点灯装置（電源装置）がいくつか提案されている。
【００２３】
次に、第１の従来例と、第２の従来例について出力電圧波形を比較する。例えば、負荷としてＦＨＦ３２Ｗ蛍光灯を２灯直列点灯させたとき、周波数変調制御、及びデューティー制御（変調も含む）を行わない場合、定格点灯時における第１の従来例の平滑電圧波形は図２（ｃ）に示すように部分平滑的な谷埋め電圧波形となり、出力電圧波形は図２（ｇ）に示すように電源電圧のピーク付近及びゼロクロス付近で各々ピークをもつ波形となる。一方、第２の従来例の平滑電圧波形は図２（ｄ）に示すように完全平滑波形となり、出力電圧波形は図２（ｈ）に示すように交流電源のゼロクロス付近でピークをもつ波形となる。
【００２４】
即ち、第１の従来例と、第２の従来例とで、回路構成の違い、つまり平滑電圧の違いにより出力される電圧波形の包絡波形が異なっていることがわかる。ＬＣ共振系の設計の仕方によっても包絡波形に違いが生じるが、入力歪の改善と定格出力の確保の両方を満足するためのＬＣ共振系の設計ポイントは自ずと決まってくるため、包絡波形に違いが生じるのは平滑電圧の違いによるところが大きいと言える。つまり、図２（ｃ）に示すように平滑電圧波形が谷埋め波形の方が出力電圧の低周波リップルが小さく、図２（ｄ）に示すように平滑電圧波形が完全平滑波形の方が出力電圧の低周波リップルが大きい。
【００２５】
実際は、ランプ電流のクレストファクタの改善、あるいは出力電圧波形の低周波リップルを任意に調節するために、検出回路を用い、周波数変調、あるいはデュティ変調、または両者の組合せを用いている。
【００２６】
【発明が解決しようとする課題】
さて上述した第１の従来例は、コールドスタートによりフィラメントの断線、黒化しやすくなることから、ランプ寿命が短くなるという問題があった。
【００２７】
また第２の従来例は、制御回路１の構成が複雑で高価になるという問題があった。
【００２８】
本発明は上述の問題点に鑑みて為されたものであり、請求項１の発明の目的とするところは、複雑で高価な制御手段を用いることなく比較的簡単な制御手段により軽負荷時の出力電圧の低周波リップルを押させることができる電源装置を提供することにある。
【００２９】
請求項２乃至１１の発明の目的とするところは前記目的に加え、負荷である予熱型の放電灯の予熱時のコールドスタートを防止し、始動性を向上させることが可能な電源装置を提供することにある。
【００３０】
【課題を解決するための手段】
前記目的を達成するために、請求項１の発明では、交流電源電圧を整流する整流器と、前記整流器の出力電圧をスイッチング素子のスイッチング動作により充電し平滑する平滑コンデンサを備えた部分平滑回路と、前記整流器あるいは前記平滑コンデンサからの出力電圧を前記スイッチング素子のスイッチング動作により高周波に変換して負荷に電力を供給するインバータ回路と、前記整流器の直流出力端にインピーダンス素子を介して前記インバータ回路の高周波出力の一部を帰還し前記整流器に前記交流電源の略全域に亘って高周波的に電流を流す入力力率改善回路と、を備えた電源装置において、前記負荷が軽負荷時に前記平滑コンデンサを充電するループ内のスイッチング素子のオンデュティを定格負荷時よりも小さくなるよう動作させる制御手段を具備して成ることを特徴とする。
【００３１】
請求項２の発明では、交流電源電圧を整流する整流器と、前記整流器の出力電圧をスイッチング素子のスイッチング動作により充電し平滑する平滑コンデンサを備えた部分平滑回路と、前記整流器あるいは前記平滑コンデンサからの出力電圧を前記スイッチング素子のスイッチング動作により高周波に変換して負荷に電力を供給するインバータ回路と、前記整流器の直流出力端にインピーダンス素子を介して前記インバータ回路の高周波出力の一部を帰還し前記整流器に前記交流電源の略全域に亘って高周波的に電流を流す入力力率改善回路と、を備えた電源装置において、前記負荷が放電灯であり、予熱時は前記平滑コンデンサを充電するループ内のスイッチング素子のオンデュティを定格点灯時よりも小さく、始動時は前記平滑コンデンサを充電するループ内のスイッチング素子のオンデュティを定格点灯時よりも大きくなるよう動作させる制御手段を具備して成ることを特徴とする。
【００３２】
請求項３の発明では、請求項１又は２の発明において、  前記入力力率改善回路を、前記整流器の直流出力端に接続される第１のダイオードと第１のコンデンサの並列回路から構成し、前記インバータ回路を、第１、第２のスイッチング素子の直列回路との直列回路と、前記整流器の出力側の一端と前記第１のダイオードとの接続点と前記第１、第２のスイッチング素子の中点との間に接続される直流阻止用コンデンサとリーケージトランスの１次巻線との直列回路と、前記リーケージトランスの２次巻線間に接続される放電灯と、前記放電灯の非電源側に接続される共振用コンデンサとで構成し、前記補助電源回路を、前記第１、第２のスイッチング素子の両端間に接続される降圧チョッパ用チョークと平滑コンデンサと平滑コンデンサを放電する方向に接続される放電用ダイオードとの直列回路と、前記平滑コンデンサと放電用ダイオードの直列回路の中点と前記第１、第２のスイッチング素子の中点との間に前記平滑コンデンサを充電する方向に接続される充電用ダイオードと、前記第１、第２のスイッチング素子の両端間に接続される小容量のコンデンサとで構成したことを特徴とする。
【００３３】
請求項４の発明では、請求項１又は２の発明において、  前記入力力率改善回路を、前記整流器の直流出力端に接続される第１のダイオードと第１のコンデンサの並列回路から構成し、前記インバータ回路を、第１、第２のスイッチング素子の直列回路との直列回路と、前記整流器の出力側の一端と前記第１のダイオードとの接続点と前記第１、第２のスイッチング素子の中点との間に、前記第１、第２のスイッチング素子の中点側にリーケージトランスの１次巻線がつながるように接続された直流阻止用コンデンサと前記リーケージトランスの１次巻線との直列回路と、前記リーケージトランスの２次巻線間に接続される放電灯と、前記放電灯の非電源側に接続される共振用コンデンサとで構成し、前記補助電源回路を、前記第１、第２のスイッチング素子の両端間に接続される平滑コンデンサと平滑コンデンサを放電する方向に接続される放電用ダイオードとの直列回路と、前記平滑コンデンサと放電用ダイオードの直列回路の中点と前記直流阻止用コンデンサと前記リーケージトランスの１次巻線との中点との間に前記平滑コンデンサを充電する方向に接続される充電用ダイオードと、前記第１、第２のスイッチング素子の両端間に接続される小容量のコンデンサとで構成したことを特徴とする。
【００３４】
請求項５の発明では、請求項３又は４の発明において、前記第１、第２のスイッチング素子の直列回路は第１のスイッチング素子が前記整流器の直流出力端の正極側に接続され、前記平滑コンデンサが前記整流器の直流出力端の正極側に接続され、かつ前記平滑コンデンサを介して前記充電用ダイオードに電流が流れるように接続され、前記負荷が放電灯であり、前記制御手段において、予熱時は第２のスイッチング素子のオンデュティを定格点灯時よりも小さく、始動時は第２のスイッチング素子のオンデュティを定格点灯時よりも大きくなるよう動作することを特徴とする。
【００３５】
請求項６の発明では、請求項３又は４の発明において、前記第１、第２のスイッチング素子の直列回路は第１のスイッチング素子が前記整流器の直流出力端の正極側に接続され、前記平滑コンデンサが前記整流器の直流出力端の負極側に接続され、かつ前記充電用ダイオードを介して前記平滑コンデンサに電流が流れるように接続され、前記負荷が放電灯であり、前記制御手段において、予熱時は第１のスイッチング素子のオンデュティを定格点灯時よりも小さく、始動時は第１のスイッチング素子のオンデュティを定格点灯時よりも大きくなるよう動作することを特徴とする。
【００３６】
請求項７の発明では、請求項１乃至６の何れかの発明において、前記制御手段が自励式であり、スイッチング素子のオンデュティを調節可能である第１の予熱始動回路を具備したことを特徴とする。
【００３７】
請求項８の発明では、請求項７の発明において、前記第１、第２のスイッチング素子の直列回路は第１のスイッチング素子が前記整流器の直流出力端の正極側に接続され、前記平滑コンデンサが前記整流器の直流出力端の正極側に接続され、かつ前記平滑コンデンサを介して前記充電用ダイオードに電流が流れるように接続され、前記第１の予熱始動回路が第２のスイッチング素子側に接続され、前記負荷が放電灯であり、軽負荷時に前記第２のスイッチング素子のオンデュティを定格点灯時よりも小さくなるよう前記第１の予熱始動回路を動作させることを特徴とする。
【００３８】
請求項９の発明では、請求項７の発明において、前記第１、第２のスイッチング素子の直列回路は第１のスイッチング素子が前記整流器の直流出力端の正極側に接続され、前記平滑コンデンサが前記整流器の直流出力端の負極側に接続され、かつ前記充電用ダイオードを介して前記平滑コンデンサに電流が流れるように接続され、前記第１の予熱始動回路が第１のスイッチング素子側に接続され、前記負荷が放電灯であり、軽負荷時に前記第１のスイッチング素子のオンデュティを定格点灯時よりも小さくなるよう前記第１の予熱始動回路を動作させることを特徴とする。
【００３９】
請求項１０の発明では、請求項７の発明において、前記第１、第２のスイッチング素子の直列回路は第１のスイッチング素子が前記整流器の直流出力端の正極側に接続され、前記平滑コンデンサが前記整流器の直流出力端の正極側に接続され、かつ前記平滑コンデンサを介して前記充電用ダイオードに電流が流れるように接続され、前記第１の予熱始動回路が第１のスイッチング素子側に、第２の予熱始動回路が第２のスイッチング素子側に接続され、前記負荷が放電灯であり、予熱時に前記第２のスイッチング素子のオンデュティが定格点灯時よりも小さくなるよう前記第２の予熱始動回路を動作し、始動時に前記第１のスイッチング素子のオンデュティが定格点灯時よりも小さくなるよう前記第１の予熱始動回路を動作させることを特徴とする。
【００４０】
請求項１１の発明では、請求項７の発明において、前記第１、第２のスイッチング素子の直列回路は第１のスイッチング素子が前記整流器の直流出力端の正極側に接続され、前記平滑コンデンサが前記整流器の直流出力端の負極側に接続され、かつ前記充電用ダイオードを介して前記平滑コンデンサに電流が流れるように接続され、前記第１の予熱始動回路が第１のスイッチング素子側に、第２の予熱始動回路が第２のスイッチング素子側に接続され、前記負荷が放電灯であり、予熱時に前記第１のスイッチング素子のオンデュティが定格点灯時よりも小さくなるよう前記第１の予熱始動回路を動作し、始動時に前記第２のスイッチング素子のオンデュティが定格点灯時よりも小さくなるよう前記第２の予熱始動回路を動作させることを特徴とする。
【００４１】
【発明の実施の形態】
以下本発明を実施形態により説明する。
【００４２】
（実施形態１）
本実施形態の回路図を図１に、各部の動作時の波形図を図２に示す。基本回路構成は図１４に示す第１の従来例とほぼ同じであるが、図示するようにダイオードＤ１とＤ２の接続点とスイッチング素子Ｑ１とＱ２との接続点との間にリーケージトランスＴ１の１次巻線と直流阻止用のコンデンサＣ４との直列回路を接続し、このリーケージトランスＴ１の２次巻線に蛍光灯からなる放電灯Ｌａ１を負荷として並列に接続し、放電灯Ｌａ１の両側のフィラメントの非電源側端間に共振用のコンデンサＣ２１を接続し、共振用コンデンサＣ２１及び放電灯Ｌａ１の並列回路とリーケージトランスＴ１のインダクタンス成分（従来例の共振用チョークＬ１に相当）とで共振回路を接続してある。
【００４３】
尚その他の構成は図１４の第１の従来例と同じであるので、同一の構成には同一番号、符号を付して詳細な回路動作説明は省略する。
【００４４】
本実施形態と図１４の第１の従来例との違いは軽負荷時に出力電圧の低周波リップルを調整するための制御回路１が異なっており、平滑コンデンサＣ３を充電するループ内にあるスイッチング素子Ｑ２のオンデュティをスイッチング素子Ｑ１のオンデュティよりも小さくなるようにアンバランス制御することを特徴とする。
【００４５】
まず、定格点灯時には交流電源Ｅの電圧のピーク付近では補助電源回路ＰＯＷの平滑コンデンサＣ３，降圧チョッパ用チョークＬ２，ダイオードＤ３，Ｄ４，スイッチング素子Ｑ１，Ｑ２からなる降圧チョッパ動作が支配的であり、ゼロクロス付近ではコンデンサＣ２、ダイオードＤ２からなる入力力率改善回路（入力歪改善回路）による動作が支配的となる。
【００４６】
よって、小容量のコンデンサＣ５の両端電圧Ｖｃ５は、図２（ｃ）のように交流電源Ｅ電圧のピーク付近では整流器ＤＢの出力電圧に比例した波形となり、ゼロクロス付近では平滑コンデンサＣ３の両端電圧による谷埋め電圧波形となる。
【００４７】
ところが、予熱、始動時のような軽負荷時には、共振用コンデンサＣ２１を介して予熱電流を流すコンデンサ予熱の構成となっているため、定格点灯時に比べ共振電流が増大し、入力電流も多く流れ、そのため平滑コンデンサＣ３，コンデンサＣ５への充電電流は増加する。一方負荷での消費電力は小さいため、平滑コンデンサＣ３の両端電圧Ｖｃ３、コンデンサＣ５の電圧Ｖｃ５は定格点灯時に比べ、共に昇圧することになる。このため軽負荷時の回路動作は定格点灯時と異なり、入力力率改善回路は交流電源Ｅの略全周期において動作する。以下、簡単に動作説明する。
【００４８】
まずスイッチング素子Ｑ１がオン時には、コンデンサＣ５の放電電流はコンデンサＣ５→スイッチング素子Ｑ１→リーケージトランスＴ１→コンデンサＣ４→コンデンサＣ２→コンデンサＣ５のループ（Ａ）で流れ、このときコンデンサＣ２を充電する。
【００４９】
コンデンサＣ２の両端電圧が、コンデンサＣ５の電圧Ｖｃ５と整流器ＤＢの出力電圧ＶＤＢの差電圧と略等し＜なると、続いて入力電流が交流電源Ｅ→フイルタ回路Ｆ→整流器ＤＢ→スイッチング素子Ｑ１→リーケージトランスＴ１→直流阻止用コンデンサＣ４→ダイオードＤ１→整流器ＤＢ→フィルター回路Ｆ→交流電源Ｅのループ（Ｂ）で流れる。
【００５０】
スイッチング素子Ｑ２がオンすると、交流電源ＥからコンデンサＣ５への充電電流が交流電源Ｅ→フィルター回路Ｆ→整流器ＤＢ→コンデンサＣ５→スイッチング素子Ｑ２の寄生ダイオード→リーケージトランスＴ１→コンデンサＣ４→Ｄ１→フィルター回路Ｆ→交流電源Ｅのループ（C）で流れる。
【００５１】
やがて共振電流が反転しリーケージトランスＴ１→スイッチング素子Ｑ２→コンデンサＣ２→コンデンサＣ４→リーケージトランスＴ１のループ（Ｄ）で流れ、このときコンデンサＣ２は電荷を放出する。
【００５２】
続いてスイッチング素子Ｑ１がオンすると、回生電流がリーケージトランスＴ１→スイッチング素子Ｑ１の寄生ダイオード→コンデンサＣ５→ダイオードＤ２→コンデンサＣ４→リーケージトランスＴ１のループ（Ｅ）で流れ、やがて共振電流は反転してループ（Ａ）で流れ、以上の動作を繰り返す。
【００５３】
ところで平滑コンデンサＣ３の充電は、コンデンサＣ３の両端電圧Ｖｃ３＜コンデンサＣ５の両端電圧Ｖｃ５のとき、つまり交流電源Ｅの電圧のピーク付近においてスイッチング素子Ｑ２のオン時に、コンデンサＣ５→降圧チョッパ用チョークＬ２→平滑コンデンサＣ３→ダイオードＤ３→スイッチング素子Ｑ２→コンデンサＣ５のループ（Ｆ）で流れ、このときコンデンサＣ５の放電によりスイッチング素子Ｑ２を介して平滑コンデンサＣ３が充電される。続いてスイッチング素子Ｑ１がオンすると、回生電流が降圧チョッパ用チョークＬ２→平滑コンデンサＣ３→ダイオードＤ３→スイッチング素子Ｑ１の寄生ダイオード→降圧チョッパ用チョークＬ２のループ（Ｇ）で流れる。
【００５４】
またコンデンサＣ３の両端電圧Ｖｃ３＞コンデンサＣ５の両端電圧Ｖｃ５のとき、つまり交流電源Ｅのゼロクロス付近において平滑コンデンサＣ３→降圧チョッパ用チョークＬ２→コンデンサＣ５→ダイオードＤ４→平滑コンデンサＣ３のループ（Ｈ）で平滑コンデンサＣ３は放電する。よって平滑コンデンサＣ３の電荷は一度コンデンサＣ５に蓄えられ、コンデンサＣ５から負荷へ供給される（ループＡ）ことになる。
【００５５】
以上の動作からループ（Ｆ）においてコンデンサＣ５の放電によりスイッチング素子Ｑ２を介して平滑コンデンサＣ３が充電されるため、スイッチング素子Ｑ２のオンデュティをスイッチング素子Ｑ１よりも大きくすると、図２（ｆ）の様に電圧Ｖｃ３の昇圧は大きく、電圧Ｖｃ５の昇圧は小さくなるためＶｃ５とＶｃ３の差は小さくなる。また、スイッチング素子Ｑ２のオンデュティをスイッチング素子Ｑ１よりも小さくすると図２（ｅ）の様に電圧Ｖｃ３の昇圧は小さく、電圧Ｖｃ５の昇圧は大きくなるため電圧Ｖｃ５と電圧Ｖｃ３の差は大きくなる。また、交流電源Ｅの電圧のピーク付近においては共振用チョークＬ１，共振用コンデンサＣ２１による共振系が支配的であり、交流電源Ｅのゼロクロス付近においては共振用チョークＬ１，共振用コンデンサＣ２１に入力力率改善回路のコンデンサＣ２が加わった共振系が支配的である。よって、スイッチング素子Ｑ２のオンデュティを制御することで、インバータ回路ＩＮＶの電源となる直流出力電圧Ｖｃ５の出力リップルが変わり、放電灯Ｌａ１の両端に現れる出力電圧Ｖｌａ２の低周波リップルを変えることができる。
【００５６】
ここでデュティ制御の動作について説明する。高周波の１周期をＴ1、スイッチング素子Ｑ２のオン時間をＴon2、スイッチング素子Ｑ１のオン時間をＴon1とすると、デュティが５０％のときのオン時間はＴ1／２となる。スイッチング素子Ｑ２のオンデュティを小さくした場合は図２（ａ）に示すようにＴon2＜Ｔ1／２，Ｔon1＞Ｔ1／２となる。スイッチング素子Ｑ２のオンデュティを大きくした場合は図２（ｂ）に示すようにＴon2＞Ｔ1／２，Ｔon1＜Ｔ1／２となる。
【００５７】
次に軽負荷時の本実施形態と上述した第１の従来例との制御方法の違いについて比較する。
【００５８】
第１の従来例はスイッチング素子スイッチング素子Ｑ１よりもスイッチング素子スイッチング素子Ｑ２のオン時間が長くなるようなアンバランス制御と、交流電源Ｅと追従した谷埋め電圧を検出して交流電源Ｅの山部と谷部でスイッチング素子Ｑ１，スイッチング素子Ｑ２の動作周波数が山部のほうが高くなるような周波数変調制御とを組合わせることにより、放電灯Ｌａ１への予熱電流を確保し、平滑コンデンサＣ３の両端電圧Ｖ平滑コンデンサＣ３の昇圧を抑制させている。
【００５９】
図１の回路において第１の従来例と同様に予熱時に平滑コンデンサＣ３を充電するループ内に配置されているスイッチング素子Ｑ２のオンデュティをスイッチング素子Ｑ１よりも大きくなるようにアンバランス制御した場合について説明する。
【００６０】
インバータ回路ＩＮＶの電源となるコンデンサＣ５の両端電圧Ｖｃ５の波形は図２（ｆ）のように交流電源Ｅの電圧のピーク付近とゼロクロス付近の差が比較的小さい、完全平滑と同様な波形となっている。これにより出力電圧の波形は図２（ｈ）のように交流電源Ｅのゼロクロス付近でピークをもつ波形となる。よって予熱時に先行予熱に十分な電流を確保した場合コールドスタートが起こりやすくなる。
【００６１】
一方、予熱時に平滑コンデンサＣ３を充電するループ内に配置されているスイッチング素子Ｑ２のオンデュティをスイッチング素子Ｑ１よりも小さくなるようにアンバランス制御することにより、電圧Ｖｃ５の波形は図２（ｅ）のように交流電源Ｅの電圧のピーク付近（Ｖｃ５に相当する）とゼロクロス付近（Ｖｃ３に相当する）の平滑電圧のピーク値の差が大きい谷埋め電圧波形となっており、出力電圧の波形は図２（ｇ）のように交流電源Ｅのゼロクロス付近とピーク付近で各々ピークをもつ波形となるが、各々のピーク値はほぼ等しく比較的低周波リップルが小さいため、放電灯Ｌａ１の始動には不十分なピーク電圧に抑制された電圧波形である。よって周波数変調制御を用いず、周波数制御、及びデュティ制御のみで、予熱時にコールドスタートの発生を抑制することができることになる。
【００６２】
本実施形態と図１５の第２の従来例との違いは、上述した第１の従来例と第２の従来例との違いと基本的に同じであるため省略する。
【００６３】
予熱時の本実施形態と第２の従来例とは、共に出力電圧の低周波リップルを小さくする点は同じであるが、その制御方法の違いについて説明する。
【００６４】
第２の従来例の回路において本実施形態と同じくスイッチング素子Ｑ２のオンデュティをスイッチング素子Ｑ１よりも小さくなるようにアンバランス制御をした場合、平滑電圧は図２（ｆ）に示すような波形となり、これにより出力電圧波形は図２（ｈ）のように交流電源Ｅ電圧のゼロクロス付近でピークをもつ波形となる。
【００６５】
また、スイッチング素子Ｑ２のオンデュティをスイッチング素子Ｑ１よりも大きくなるようにアンバランス制御をした場合、平滑電圧は図２（ｆ）に示すような波形となり、これにより出力電圧波形は図２（ｈ）のように交流電源Ｅ電圧のゼロクロス付近でピークをもつ波形となる。
【００６６】
よって、スイッチング素子Ｑ２のオンデュティを大きくした場合と、小さくした場合を比べると、スイッチング素子Ｑ２のオンデュティを大きくした方がコンデンサＣ３の両端電圧Ｖｃ３（図１５の場合）の昇圧レベルは大きくなり、所定の先行予熱電流を得るにはスイッチング素子Ｑ２のオンデュティを大きくしたほうが動作周波数が高くなるが、平滑電圧波形は両者とも同様な完全平滑的な波形となる。したがって、出力電圧の波形は図２（ｈ）のような両者とも同様な交流電源Ｅの電圧のゼロクロス付近でピークをもつ波形となる。
【００６７】
要するに、図１５の回路においてデュティ制御を行っても出力電圧波形の低周波リップルはかわらない。これによって本実施形態の制御方法は降圧チョッパ方式を用いた回路特有の制御方法である。
【００６８】
而して本実施形態によれば、軽負荷時に、出力電圧の低周波リップルを小さくできることから、負荷が放電灯である場合比較的簡単な制御により予熱時にコールドスタートの発生を抑制することができることになる。また始動時については例えばＦＣＬ３０Ｗなど比較的始動電圧が低く容易に点灯し易い蛍光灯の場合、出力電圧の低周波リップルを小さくすることで予熱に用いる共振用コンデンサＣ２１の耐圧を低くできるという効果もある。
【００６９】
（実施形態２）
本実施形態に実施形態の回路を図３に示す。本実施形態の回路構成は図１に示す実施形態１と比べて、リーケージトランスＴ１、放電灯Ｌａ１、共振用コンデンサＣ２１、直流阻止用のコンデンサＣ４からなる負荷回路、ダイオードＤ２，コンデンサＣ２からなる入力力率改善回路等の接続箇所が異なるが、基本的な回路動作は略同じであるため同一の構成には同一符号を付して説明は省略する。
【００７０】
図３に示す本実施形態の場合、実施形態１と同様に、予熱時に平滑コンデンサＣ３を充電するループ内に配置されているスイッチング素子Ｑ２のオンデュティをスイッチング素子Ｑ１よりも小さくなるように制御回路１でアンバランス制御することにより、平滑電圧Ｖｃ５の波形が図２（ｅ）のようになり、出力電圧の波形の低周波リップルを小さくすることができる。
【００７１】
始動時は、スイッチング素子Ｑ２のオンデュティをスイッチング素子Ｑ１よりも大きくなるようにアンバランス制御することにより、平滑電圧Ｖｃ５の波形が図２（ｆ）のようになり、出力電圧の波形の低周波リップルを大きくすることができる。負荷回路及び入力力率改善回路の接続箇所は整流器ＤＢの直流出力端の＋極側でも、−極側でもほぼ同等である。
【００７２】
よって、本実施形態の構成においても図１の実施形態１の構成の場合と同様の制御方法で同様な効果を得ることができる。
【００７３】
尚図４に示すように、図１の回路の構成において、降圧チョッパ用チョークＬ２と平滑コンデンサＣ３の直列回路をスイッチング素子Ｑ２にダイオードＤ３を介して接続し、ダイオードＤ４をダイオードＤ３を介してスイッチング素子Ｑ３に逆並列接続しても良く、また図５に示すように、図３の回路の構成において、降圧チョッパ用チョークＬ２と平滑コンデンサＣ３の直列回路をスイッチング素子Ｑ２にダイオードＤ３を介して接続し、ダイオードＤ４をダイオードＤ３を介してスイッチング素子Ｑ１に逆並列接続しても良い。
【００７４】
これらの図４、図５に示す回路構成においては、予熱時に平滑コンデンサＣ３を充電するループ内に配置されているスイッチング素子Ｑ１のオンデュティをスイッチング素子Ｑ２よりも小さくなるようにアンバランス制御することにより、平滑電圧ＶコンデンサＣ５の波形が図２（ｅ）のようになり、出力電圧の波形の低周波リップルを小さくすることができる。始動時は、スイッチング素子Ｑ１のオンデュティをスイッチング素子Ｑ２よりも小さくなるようにアンバランス制御することにより、平滑電圧Ｖｃ５の波形が図２(ｆ）のようになり、出力電圧の波形の低周波リップルを大きくすることができる。
【００７５】
このように本実施形態によると、予熱時に、出力電圧の低周波リップルを小さくできることから、比較的簡単な制御回路１により予熱時にコールドスタートの発生を抑制することができることになり、出力電圧の波形の低周波リップルを大きくできることから、比較的簡単な制御により始動性を向上できるという効果を有する。
【００７６】
（実施形態３）
本実施形態の回路図を図６に示す。本実施形態と図１の実施形態１の回路と異なる点は、降圧チョッパ用チョークと共振用チョークとをリーケージトランスＴ１のインダクタンス成分により兼用したことにより低コスト化を図っている点である。そして平滑コンデンサＣ３の充電は、平滑コンデンサＣ３→ダイオードＤ３→リーケージトランスＴ１→スイッチング素子Ｑ２の経路で行われる。
【００７７】
尚実施形態２の図３乃至図５の回路構成において、降圧チョッパ用チョークと共振用チョークとをリーケージトランスＴ１のインダクタンス成分により兼用しても勿論良い。図７乃至図９はそれらの回路を示す。
【００７８】
図７の回路では図６の回路と同様に平滑コンデンサＣ３の充電は、平滑コンデンサＣ３→ダイオードＤ３→リーケージトランスＴ１→スイッチング素子Ｑ２の経路で行われる。
【００７９】
また図８，図９の回路では、平滑コンデンサＣ３の充電は、スイッチング素子Ｑ１→リーケージトランスＴ１→ダイオードＤ３→平滑コンデンサＣ３の経路で行われる。
【００８０】
而して本実施形態の図６乃至図９の何れの回路においても、その他の基本的な回路動作は、第１の従来例と同様であり、また予熱時、始動時の制御方法は実施形態１及び実施形態２と同様の制御を行うため同様の結果となる。図６乃至図９において、上述の実施形態の回路構成と同一の構成には同一の番号及び符号を付して説明は省略する。
【００８１】
而して本実施形態によれば、実施形態１，実施形態２の作用効果を、降圧チョッパ用チョークと共振用チョークとを兼用したことにより低コスト化を図った回路構成においても得ることができる。
【００８２】
（実施形態４）
本実施形態の回路図を図１０に示す。本実施形態の回路構成は実施形態１の回路の制御回路１の代わりに自励式の回路を用いた点が大きく異なる。
【００８３】
具体的には自励用の駆動回路２と、駆動回路２を起動するための起動回路３と、予熱始動時に放電灯Ｌａ１に適切な予熱電流を流し且つ始動電圧を印加するための予熱始動回路４とを備えている。
【００８４】
駆動回路２は、スイッチング素子Ｑ１，Ｑ２の接続点と、リーケージトランスＴ１の１次巻線との間に１次巻線を挿入し、スイッチング素子Ｑ１，Ｑ２の各ゲートとソース間にゲート抵抗Ｒ１，Ｒ２を夫々介して２次巻線を接続した駆動トランスＴ２と、各出力巻線とゲート抵抗Ｒ１，Ｒ２との直列回路に並列に違いに逆直列接続した対のツエナーダイオードＺＤ１，ＺＤ２及びＺＤ３，ＺＤ４とで構成される。
【００８５】
また起動回路３は、コンデンサＣ５に並列に接続した抵抗Ｒ３，Ｒ４，Ｒ５，コンデンサＣ６の直列回路と、抵抗Ｒ５とコンデンサＣ６の接続点とスイッチング素子Ｑ１，Ｑ２の接続点との間に接続したダイオードＤ５と、抵抗Ｒ５とコンデンサＣ６の接続点とスイッチング素子Ｑ２のゲートとの間に接続した２端子サイリスタの様なトリガ素子Ｑ３とで構成される。
【００８６】
予熱始動回路４は、スイッチング素子Ｑ２のゲートとソース間に、抵抗Ｒｓ１と、逆方向のダイオードＤｓ２，Ｄｓ３との直列回路を接続するとともに、ダイオードＤｓ４とトランジスタからなるスイッチング素子Ｑｓ１との直列回路を接続し、ダイオードＤｓ２にはダイオードＤｓ１と、抵抗Ｒｓ２と、コンデンサＣｓ１及び抵抗Ｒｓ３の並列回路との直列回路を並列接続し、ダイオードＤｓ３にはコンデンサＣｓ２を並列接続し、コンデンサＣｓ２には抵抗Ｒｓ４を介してスイッチング素子Ｑｓ１のベース・エミッタ間を接続して構成される。
【００８７】
尚予熱始動回路４はグランドラインを安定にさせるためスイッチング素子Ｑ２側に接続されている。
【００８８】
而して交流電源Ｅが投入されると、起動回路３では抵抗Ｒ３，Ｒ４、Ｒ５を介してコンデンサＣ６が充電され、その両端電圧が所定の電圧になるとトリガ素子Ｑ３がブレークオーバーしてオンし、該トリガ素子Ｑ３を介してコンデンサＣ６の充電電圧がインバータ回路ＩＮＶのスイッチング素子Ｑ２のゲートに起動信号として印加され、スイッチング素子Ｑ２はオンする。このオンと同時にコンデンサＣ６はダイオードＤ５からスイッチング素子Ｑ２を介して電荷を放出する。スイッチング素子Ｑ２がオンすると駆動トランスＴ２の１次巻線に電流が流れ、続いてスイッチング素子Ｑ２側の出力巻線とは逆極性に巻かれたスイッチング素子Ｑ１側の出力巻線によりゲート電圧が発生してスイッチング素子Ｑ１がオンする。以後スイッチング素子Ｑ１とスイッチング素子Ｑ２とが高周波で交互オン、オフを繰り返しインバータ動作を行う。
【００８９】
予熱時はスイッチング素子Ｑ２のゲート・ソース間にゲート電圧が発生すると同時に、予熱始動回路４の抵抗Ｒｓ１→ダイオードＤｓ１→抵抗Ｒｓ２→コンデンサＣｓ１→コンデンサＣｓ２の経路でコンデンサＣｓ２が充電され、その電圧がスイッチング素子Ｑｓ１の閾値を越えると、スイッチング素子Ｑｓ１がオンして、スイッチング素子Ｑ２のゲート信号を引き抜き、そのためスイッチング素子Ｑ２はオフする。スイッチング素子Ｑｓ１がオンするとコンデンサＣｓ２は、コンデンサＣｓ２→ダイオードＤｓ２→抵抗Ｒｓ１→ダイオードＤｓ４→スイッチング素子Ｑｓ１→コンデンサＣｓ２の経路で電荷を放出する。以上の動作によりスイッチング素子Ｑ２のオンデュティが決定される。オンデュティは抵抗Ｒｓ１，Ｒｓ２，コンデンサＣｓ２の時定数によって調整が可能である。このときコンデンサＣｓ１は、電解コンデンサを用いてタイマーコンデンサとして働いており、インバータ回路ＩＮＶのスイッチングに応じてコンデンサＣｓ１は徐々に充電されるため、スイッチング素子Ｑ２のオンデュティは最初はスイッチング素子Ｑ１のオンデュティより小さいところから徐々に５０％に近づいていく。一方、スイッチング素子Ｑ１側は何も制御されることなく自励動作によりゲート信号が発生するため、スイッチング素子Ｑ２のオンデュティが５０％に近づいていくのに応じて動作周波数も低くなる方向に変化して、出力電圧は増加していき、放電灯Ｌａ１は始動する。
【００９０】
予熱始動回路４はデュティを５０％より大きいところから５０％に近づける制御ができないため、予熱、始動時に平滑コンデンサＣ３を充電するループ内に配置されているスイッチング素子のオンデュティを他方のスイッチング素子の音デュティよりも小さくなるようにアンバランス制御することにより、出力電圧の波形の低周波リップルを小さくするには図１０のように予熱始動回路４の配置に合わせて平滑コンデンサＣ３を配置するとよい。また、図１０の回路においてダイオードＤ１，Ｄ２、コンデンサＣ２、Ｃ４の一端を図３のように整流器ＤＢの出力端子の正極側に接続した場合も同様の効果が得られることは言うまでもない。
【００９１】
而して予熱始動回路４を用いた自励制御による本実施形態の回路構成においても実施形態１と同様の効果が得られる。また、主回路が実施形態３に示した構成であっても同様の効果を有することは言うまでもない。
【００９２】
（実施形態５）
本実施形態の回路図を図１１に示す。
【００９３】
本実施形態は、図５で示す回路の主回路と同じ主回路に実施形態４と同様に駆動回路２を付設するとともに、予熱始動回路４及び起動回路３を付設したもので、本実施形態の回路構成が実施形態４の回路構成と異なる点は予熱始動回路４がスイッチング素子Ｑ１側に接続されているところである。
【００９４】
つまり本実施形態の起動回路３は、抵抗Ｒ３、コンデンサＣ６、抵抗Ｒ４，Ｒ５の直列回路をコンデンサＣ５に並列接続するとともにダイオードＤ５を抵抗Ｒ３に並列接続し、抵抗Ｒ３とコンデンサＣ６の接続点とスイッチング素子Ｑ１のゲートとの間にトリガ素子Ｑ３を接続し、コンデンサＣ６と抵抗Ｒ４との接続点をスイッチング素子Ｑ２のソースに接続して構成され、予熱始動回路４２具体回路は実施形態４の予熱始動回路４と同じ構成であって、グランドラインをスイッチング素子Ｑ１のソースに接続し、入力をスイッチング素子Ｑ１のゲートに接続して構成される。
【００９５】
本実施形態の起動回路３は、交流電源Ｅが投入され、コンデンサＣ６の両端電圧が所定の電圧に上昇すると、トリガ素子Ｑ３がブレークオーバーして、インバータ回路ＩＮＶのスイッチング素子Ｑ１のゲート・ソース間にコンデンサＣ６の電圧を起動信号として印加し、スイッチング素子Ｑ１をオンさせる。このオンによりコンデンサＣ６の電荷をダイオードＤ５とスイッチング素子Ｑ１を介して放出させる。以後実施形態３と同様に駆動回路２の働きにより、スイッチング素子Ｑ１，Ｑ２が高周波で交互にオン、オフを繰り返す。
【００９６】
一方スイッチング素子Ｑ１のゲート・ソース間にゲート電圧が発生すると同時に、予熱始動回路４は実施形態３の予熱始動回路４と同様に動作するが、ゲート信号を引き抜く対象がスイッチング素子Ｑ１で、このスイッチング素子Ｑ１のオンデュティを決定し、インバータ回路ＩＮＶのスイッチングに応じてコンデンサＣｓ１は徐々に充電されるため、スイッチング素子Ｑ１のオンデュティが最初はスイッチング素子Ｑ１のオンデュティより小さいところから徐々に５０％に近づいていく。この場合、予熱、始動時にスイッチング素子Ｑ１のオンデュティが５０％より小さいため、図１１のように平滑コンデンサＣ３を配置することにより、予熱、始動時に平滑コンデンサＣ３を充電するループ内に配置されているスイッチング素子のオンデュティを他方のスイッチング素子よりも小さくなるようにアンバランス制御することで、出力電圧の低周波リップルを小さくすることができる。また、図１１の回路においてＤ１，Ｄ２、コンデンサＣ２，Ｃ４の一端を図１のように整流器ＤＢの直流出力端子の負極側に接続した場合も同様の効果が得られることは言うまでもない。
【００９７】
而して本実施形態によると、実施形態４と同様に、予熱始動回路４を用いた自励制御による回路構成においても実施形態１と同様の効果を得ることができる。また、主回路が実施形態３に示した構成であっても同様の効果を有することは言うまでもない。
【００９８】
（実施形態６）
本実施形態の回路図を図１２、図１３に示す。本実施形態の回路構成が実施形態４，５の回路構成と異なる点は、スイッチング素子Ｑ１，スイッチング素子Ｑ２の夫々に予熱始動回路４ａ、４ｂを接続した点にある。
【００９９】
図１２の回路の場合、平滑コンデンサＣ３がスイッチング素子Ｑ１側に接続されているので、予熱時はスイッチＳＷ２をオンさせて予熱始動回路４ｂを動作させ、他方の予熱始動回路４ａはスイッチＳＷ１をオフにして切離しておく。始動時はスイッチＳＷ１をオンして予熱始動回路１を動作させ、予熱始動回路２はスイッチＳＷ２をオフにして切離す。
【０１００】
この場合、予熱時は平滑コンデンサＣ３を充電するループ内に配置されているスイッチング素子Ｑ２のオンデュティが５０％より小さくなるようにアンバランス制御されることになり、出力電圧の波形の低周波リップルを小さくすることができる。始動時にはスイッチング素子Ｑ１のオンデュティが５０％より小さく、すなわちスイッチング素子Ｑ２のオンデュティが５０％より大きくなり、出力電圧の波形の低周波リップルを大きくすることができる。
【０１０１】
また図１３のようにスイッチング素子Ｑ１側に予熱始動回路４ａ，スイッチング素子Ｑ２側に予熱始動回路４ｂ，平滑コンデンサＣ３を配置した場合も、図１２の回路の場合と同様に、予熱時はスイッチＳＷ１をオンして予熱始動回路４ａを動作させ、平滑コンデンサＣ３を充電するループ内に配置されているスイッチング素子Ｑ１のオンデュティをスイッチング素子Ｑ２よりも小さくなるようにアンバランス制御することにより、出力電圧の低周波リップルを小さくすることができ、始動時はスイッチＳＷ２をオンして予熱始動回路４ｂを動作させ、スイッチング素子Ｑ１のオンデュティをスイッチング素子Ｑ２よりも大きくなるようにアンバランス制御することにより、出力電圧の低周波リップルを大きくすることができる。
【０１０２】
本実施形態によると、予熱始動回路を用いた自励制御による回路構成においても実施形態２と同様の効果を有する。また、主回路が実施形態３に示した構成であっても同様の効果が得られることは言うまでもない。
【０１０３】
【発明の効果】
請求項１の発明は、交流電源電圧を整流する整流器と、前記整流器の出力電圧をスイッチング素子のスイッチング動作により充電し平滑する平滑コンデンサを備えた部分平滑回路と、前記整流器あるいは前記平滑コンデンサからの出力電圧を前記スイッチング素子のスイッチング動作により高周波に変換して負荷に電力を供給するインバータ回路と、前記整流器の直流出力端にインピーダンス素子を介して前記インバータ回路の高周波出力の一部を帰還し前記整流器に前記交流電源の略全域に亘って高周波的に電流を流す入力力率改善回路と、を備えた電源装置において、前記負荷が軽負荷時に前記平滑コンデンサを充電するループ内のスイッチング素子のオンデュティを定格負荷時よりも小さくなるよう動作させる制御手段を具備してあるので、複雑で高価な制御手段を用いることなく、比較的簡単な制御手段により軽負荷時に出力電圧の低周波リップルを小さくすることができるという効果がある。
【０１０４】
請求項２の発明は、交流電源電圧を整流する整流器と、前記整流器の出力電圧をスイッチング素子のスイッチング動作により充電し平滑する平滑コンデンサを備えた部分平滑回路と、前記整流器あるいは前記平滑コンデンサからの出力電圧を前記スイッチング素子のスイッチング動作により高周波に変換して負荷に電力を供給するインバータ回路と、前記整流器の直流出力端にインピーダンス素子を介して前記インバータ回路の高周波出力の一部を帰還し前記整流器に前記交流電源の略全域に亘って高周波的に電流を流す入力力率改善回路と、を備えた電源装置において、前記負荷が放電灯であり、予熱時は前記平滑コンデンサを充電するループ内のスイッチング素子のオンデュティを定格点灯時よりも小さく、始動時は前記平滑コンデンサを充電するループ内のスイッチング素子のオンデュティを定格点灯時よりも大きくなるよう動作させる制御手段を具備してあるので、複雑で高価な制御手段を用いることなく、比較的簡単な制御手段により軽負荷時に出力電圧の低周波リップルを小さくすることができるものであって、負荷である予熱型放電灯の予熱時にコールドスタートの発生を抑制できるという効果がある。
【０１０５】
請求項３の発明は、請求項１又は２の発明において、前記入力力率改善回路を、前記整流器の直流出力端に接続される第１のダイオードと第１のコンデンサの並列回路から構成し、前記インバータ回路を、第１、第２のスイッチング素子の直列回路との直列回路と、前記整流器の出力側の一端と前記第１のダイオードとの接続点と前記第１、第２のスイッチング素子の中点との間に接続される直流阻止用コンデンサとリーケージトランスの１次巻線との直列回路と、前記リーケージトランスの２次巻線間に接続される放電灯と、前記放電灯の非電源側に接続される共振用コンデンサとで構成し、前記補助電源回路を、前記第１、第２のスイッチング素子の両端間に接続される降圧チョッパ用チョークと平滑コンデンサと平滑コンデンサを放電する方向に接続される放電用ダイオードとの直列回路と、前記平滑コンデンサと放電用ダイオードの直列回路の中点と前記第１、第２のスイッチング素子の中点との間に前記平滑コンデンサを充電する方向に接続される充電用ダイオードと、前記第１、第２のスイッチング素子の両端間に接続される小容量のコンデンサとで構成したので、前記請求項１又は２の発明の効果に加えて、始動電圧が低く容易に点灯し易い放電灯を用いた場合に予熱コンデンサである共振用コンデンサの耐圧を低くすることができるという効果がある。
【０１０６】
請求項４の発明は、請求項１又は２の発明において、前記入力力率改善回路を、前記整流器の直流出力端に接続される第１のダイオードと第１のコンデンサの並列回路から構成し、前記インバータ回路を、第１、第２のスイッチング素子の直列回路との直列回路と、前記整流器の出力側の一端と前記第１のダイオードとの接続点と前記第１、第２のスイッチング素子の中点との間に、前記第１、第２のスイッチング素子の中点側にリーケージトランスの１次巻線がつながるように接続された直流阻止用コンデンサと前記リーケージトランスの１次巻線との直列回路と、前記リーケージトランスの２次巻線間に接続される放電灯と、前記放電灯の非電源側に接続される共振用コンデンサとで構成し、前記補助電源回路を、前記第１、第２のスイッチング素子の両端間に接続される平滑コンデンサと平滑コンデンサを放電する方向に接続される放電用ダイオードとの直列回路と、前記平滑コンデンサと放電用ダイオードの直列回路の中点と前記直流阻止用コンデンサと前記リーケージトランスの１次巻線との中点との間に前記平滑コンデンサを充電する方向に接続される充電用ダイオードと、前記第１、第２のスイッチング素子の両端間に接続される小容量のコンデンサとで構成したので、請求項１又は２の発明の効果に加えて、始動電圧が低く容易に点灯し易い放電灯を用いた場合に予熱コンデンサである共振用コンデンサの耐圧を低くすることができ、しかも降圧チョッパ用チョークと共振用チョークとをリーケージトランスが兼ねるため、コストを低減できるという効果がある。
【０１０７】
請求項５の発明は、請求項３又は４の発明において、前記第１、第２のスイッチング素子の直列回路は第１のスイッチング素子が前記整流器の直流出力端の正極側に接続され、前記平滑コンデンサが前記整流器の直流出力端の正極側に接続され、かつ前記平滑コンデンサを介して前記充電用ダイオードに電流が流れるように接続され、前記負荷が放電灯であり、前記制御手段において、予熱時は第２のスイッチング素子のオンデュティを定格点灯時よりも小さく、始動時は第２のスイッチング素子のオンデュティを定格点灯時よりも大きくなるよう動作するので、特に予熱時には出力電圧の低周波リップルを小さくすることができるから比較的簡単な制御手段により予熱時にコールドスタートの発生を抑制でき、また始動時には出力電圧の低周波リップルを大きくすることができるから比較的簡単な制御により始動性を向上できるという効果がある。
【０１０８】
請求項６の発明は、請求項３又は４の発明において、前記第１、第２のスイッチング素子の直列回路は第１のスイッチング素子が前記整流器の直流出力端の正極側に接続され、前記平滑コンデンサが前記整流器の直流出力端の負極側に接続され、かつ前記充電用ダイオードを介して前記平滑コンデンサに電流が流れるように接続され、前記負荷が放電灯であり、前記制御手段において、予熱時は第１のスイッチング素子のオンデュティを定格点灯時よりも小さく、始動時は第１のスイッチング素子のオンデュティを定格点灯時よりも大きくなるよう動作するので、特に予熱時には出力電圧の低周波リップルを小さくすることができるから比較的簡単な制御手段により予熱時にコールドスタートの発生を抑制でき、また始動時には出力電圧の低周波リップルを大きくすることができるから比較的簡単な制御により始動性を向上できるという効果がある。
【０１０９】
請求項７の発明は、請求項１乃至６の何れかの発明において、前記制御手段が自励式であり、スイッチング素子のオンデュティを調節可能である第１の予熱始動回路を具備したので、自励式の制御を採用しても請求項１乃至６の何れかの発明の効果と同じ効果が得られる。
【０１１０】
請求項８の発明は、請求項７の発明において、前記第１、第２のスイッチング素子の直列回路は第１のスイッチング素子が前記整流器の直流出力端の正極側に接続され、前記平滑コンデンサが前記整流器の直流出力端の正極側に接続され、かつ前記平滑コンデンサを介して前記充電用ダイオードに電流が流れるように接続され、前記第１の予熱始動回路が第２のスイッチング素子側に接続され、前記負荷が放電灯であり、軽負荷時に前記第２のスイッチング素子のオンデュティを定格点灯時よりも小さくなるよう前記第１の予熱始動回路を動作させるので、請求項７と同様な効果がある。
【０１１１】
請求項９の発明は、請求項７の発明において、前記第１、第２のスイッチング素子の直列回路は第１のスイッチング素子が前記整流器の直流出力端の正極側に接続され、前記平滑コンデンサが前記整流器の直流出力端の負極側に接続され、かつ前記充電用ダイオードを介して前記平滑コンデンサに電流が流れるように接続され、前記第１の予熱始動回路が第１のスイッチング素子側に接続され、前記負荷が放電灯であり、軽負荷時に前記第１のスイッチング素子のオンデュティを定格点灯時よりも小さくなるよう前記第１の予熱始動回路を動作させるので、請求項７と同様な効果がある。
【０１１２】
請求項１０の発明は、請求項７の発明において、前記第１、第２のスイッチング素子の直列回路は第１のスイッチング素子が前記整流器の直流出力端の正極側に接続され、前記平滑コンデンサが前記整流器の直流出力端の正極側に接続され、かつ前記平滑コンデンサを介して前記充電用ダイオードに電流が流れるように接続され、前記第１の予熱始動回路が第１のスイッチング素子側に、第２の予熱始動回路が第２のスイッチング素子側に接続され、前記負荷が放電灯であり、予熱時に前記第２のスイッチング素子のオンデュティが定格点灯時よりも小さくなるよう前記第２の予熱始動回路を動作し、始動時に前記第１のスイッチング素子のオンデュティが定格点灯時よりも小さくなるよう前記第１の予熱始動回路を動作させるので、特に予熱時には出力電圧の低周波リップルを小さくして、予熱時のコールドスタートの発生を抑制することができ、また始動時には、出力電圧の低周波リップルを大きくして始動性を向上できるという効果がある。
【０１１３】
請求項１１の発明は、請求項７の発明において、前記第１、第２のスイッチング素子の直列回路は第１のスイッチング素子が前記整流器の直流出力端の正極側に接続され、前記平滑コンデンサが前記整流器の直流出力端の負極側に接続され、かつ前記充電用ダイオードを介して前記平滑コンデンサに電流が流れるように接続され、前記第１の予熱始動回路が第１のスイッチング素子側に、第２の予熱始動回路が第２のスイッチング素子側に接続され、前記負荷が放電灯であり、予熱時に前記第１のスイッチング素子のオンデュティが定格点灯時よりも小さくなるよう前記第１の予熱始動回路を動作し、始動時に前記第２のスイッチング素子のオンデュティが定格点灯時よりも小さくなるよう前記第２の予熱始動回路を動作させるので、特に予熱時には出力電圧の低周波リップルを小さくして、予熱時のコールドスタートの発生を抑制することができ、また始動時には、出力電圧の低周波リップルを大きくして始動性を向上できるという効果がある。
【図面の簡単な説明】
【図１】本実施形態の実施形態１の回路図である。
【図２】同上及び従来例の動作説明用波形図である。
【図３】本実施形態の実施形態２の回路図である。
【図４】本実施形態の実施形態３の回路図である。
【図５】本実施形態の実施形態４の回路図である。
【図６】本実施形態の実施形態５の回路図である。
【図７】本実施形態の実施形態６の回路図である。
【図８】本実施形態の実施形態７の回路図である。
【図９】本実施形態の実施形態８の回路図である。
【図１０】本実施形態の実施形態９の回路図である。
【図１１】本実施形態の実施形態１０の回路図である。
【図１２】本実施形態の実施形態１１の回路図である。
【図１３】本実施形態の実施形態１２の回路図である。
【図１４】第１の従来例の回路図である。
【図１５】第２の従来例の回路図である。
【符号の説明】
ＩＮＶ      インバータ回路
ＰＯＷ      補助電源回路
１          制御回路
Ｅ          交流電源
Ｆ          フィルター回路
ＤＢ        整流器
Ｌａ１      放電灯
Ｑ１，Ｑ２  スイッチング素子
Ｃ１，Ｃ２，Ｃ５  コンデンサ
Ｃ３        平滑コンデンサ
Ｃ４        直流阻止用コンデンサ
Ｄ１〜Ｄ４  ダイオード
Ｌ２        降圧チョッパ用チョーク
Ｌ１        共振用チョーク
Ｃ２１      共振用コンデンサ
Ｔ１        リーケージトランス
Ｖｃ３      電圧
Ｖｃ５      電圧
【図１】
0003654035.tif 000002
【図２】
0003654035.tif 000003
【図３】
0003654035.tif 000004
【図４】
0003654035.tif 000005
【図５】
0003654035.tif 000006
【図６】
0003654035.tif 000007
【図７】
0003654035.tif 000008
【図８】
0003654035.tif 000009
【図９】
0003654035.tif 000010
【図１０】
0003654035.tif 000011
【図１１】
0003654035.tif 000012
【図１２】
0003654035.tif 000013
【図１３】
0003654035.tif 000014
【図１４】
0003654035.tif 000015
【図１５】
0003654035.tif 000016